(57)【要約】【課題】ガラスユニットの中間層に充填する液体のゲル化の際の体積変化による液面の変動を、所定の容積を有する注入口内で対応することにより見栄え良くゲルを封入することが可能な遊技機を提供すること。【解決手段】液体を注入口１０２１から液体を注入し、さらにゲル化剤を注入することで、当該中間層の液体がゲル化し遊技の際の遊技球の転動の際等の防音効果が高められると共に、液体の液面が変動しても、この液面の変動を壁面の中間点の範囲内で対応させることができ、ガラスユニット１０２の遊技盤１０３を覆う部分にこのゲルの上面が位置することが無く、見栄え良くゲルを封入することができる。【選択図】　図４
2004065855.tif 000002
【特許請求の範囲】
【請求項１】
間隙をおいて対向する２枚の透明板の周囲に帯状部材を接着することにより、密閉された中間層が構成されたガラスユニットを備えた遊技機において、
前記ガラスユニットの上部には、
所定の高さを有する壁面が形成された注入口が構成されていることを特徴とする遊技機。
【請求項２】
間隙をおいて対向する２枚の透明板の周囲に帯状部材を接着することにより、密閉された中間層が構成されたガラスユニットを備えた遊技機の製造方法であって、
前記ガラスユニットの上部に構成され、所定の高さを有する壁面が形成された注入口に液体を注入するステップと、
前記液体内の気泡が消失した後に、前記液体をゲル化するためのゲル化剤を注入するステップと、
前記注入口に注入された液体がゲル化した時点で、前記注入口に蓋を接着するステップとを備えたことを特徴とする遊技機の製造方法。
【発明の詳細な説明】
【０００１】
【発明の属する技術分野】
本発明は、間隙をおいて対向する２枚の透明板の周囲に帯状部材を接着することにより、密閉された中間層が構成されたガラスユニットを備えた遊技機およびその製造方法に関する。
【０００２】
【従来の技術】
従来の遊技機にあっては、遊技機の前面を覆うガラスユニットとして、対向する２枚の透明の透明板により中間層を構成するものが使用されている。例えば、特開平５−３７１７８号公報に開示された発明では、２枚の透明板の間の空間部にゲル状で耐候性のある物質が封入された発明が開示されている。また、ガラスユニットの他の構成例として、２枚の透明板間の中間層内には空気が封入され、さらにこの空気を乾燥させるための乾燥剤が入れられたものが開示されている。
【０００３】
【発明が解決しようとする課題】
しかしながら、このような従来の遊技機では、特開平５−３７１７８号公報に開示された発明にように２枚の透明板の間の空間部にゲル状で耐候性のある物質を封入する場合には様々な問題があった。例えば、この空間部に水等の液体を注入し、それからその液体をゲル化させる吸水性樹脂等のゲル化剤を注入する方法等が考えられるが、この方法では、液体がゲル化する際の体積変化を考慮しなければならなかった。液体がゲル化した際に、例えばゲルの上部の上面がガラスユニットの遊技盤を覆う部分に位置すると、遊技者が遊技をしているときにこのゲルの上面が見えてしまい不快感を与えるという問題がある。
【０００４】
また、中間層内に空気を封入すると、結露が発生しガラス板が曇る等の問題がある。乾燥剤を入れたとしても限界があり、結露を完全に防止することは出来ないという問題があった。
【０００５】
本発明は、このような従来の課題を解決するためになされたものであり、ガラスユニットの中間層に充填する液体のゲル化の際の体積変化による液面の変動を、所定の容積を有する注入口内で対応することにより見栄え良くゲルを封入することが可能な遊技機およびその製造方法を提供することを目的とする。
【０００６】
【課題を解決するための手段】
上記目的を達成するために、本発明は、間隙をおいて対向する２枚の透明板（ガラス１０２２）の周囲に帯状部材（ガラスフレーム１０２３）を接着することにより、密閉された中間層が構成されたガラスユニット（ガラスユニット１０２）を備えた遊技機（遊技機１００）において、前記ガラスユニットの上部には、所定の高さを有する壁面が形成された注入口（注入口１０２１）が構成されていることを特徴としたものである。
【０００７】
このような発明によれば、注入口から液体を注入し、さらにゲル化剤を注入することで、この液体をゲル化することができ、また注入口に壁面が形成され、液体の体積変化に対応可能な所定の容積を有しているので液体の液面が変動しても、この液面の変動を壁面の中間点の範囲内で対応させることができ、ガラスユニットの遊技盤を覆う部分にこのゲルの上面が位置することが無く、見栄え良くゲルを封入することができることが出来る。
【０００８】
また、本発明に係る遊技機の製造方法は、間隙をおいて対向する２枚の透明板の周囲に帯状部材を接着することにより、密閉された中間層が構成されたガラスユニットを備えた遊技機の製造方法であって、前記ガラスユニットの上部に構成され、所定の高さを有する壁面が形成された注入口に液体を注入するステップと、前記液体内の気泡が消失した後に、前記液体をゲル化するためのゲル化剤を注入するステップと、前記注入口に注入された液体がゲル化した時点で、前記注入口に蓋を接着するステップとを備えたことを特徴とする。
【０００９】
このような発明によれば、前記ガラスユニットの上部に、所定の高さを有する壁面が形成された注入口に液体を注入し、そして前記液体内の気泡が消失した後に、前記液体をゲル化するためのゲル化剤を注入し、前記注入口に注入された液体がゲル化した時点で、前記注入口に蓋を接着することにより、ガラスユニットの遊技盤を覆う部分にこのゲルの上面が位置することが無く、見栄え良くゲルを封入することができる。
【００１０】
【発明の実施の形態】
以下、本発明の実施の形態を図面を参照しつつ説明する。
【００１１】
（構成）
図１は遊技機１００の模式的な説明図である。１０１は枠体、２０１はガラスユニット、１０３は遊技盤である。枠体１０１は、実際の遊技を行う遊技盤１０３の周囲で装飾又は演出するための装置であり、大当り状態、リーチ、大当りの予告等の遊技状態の変化に応じて光等による演出を実行する。
【００１２】
ガラスユニット１０２は、図４（ａ）、（ｂ）に示すように、遊技盤１０３の保護し、また遊技球の飛び出しを防止するために遊技盤１０３の前面を覆うように構成された板部材である。ガラスユニット１０２は、所定の箇所に、後述する回動可能な構成のための取付ヒンジや、遊技盤１０３の前面に固定するためのロック部等を有する。図５に示すように、ガラスユニット１０２は、間隙をおいて対向する２枚の透明板のガラス１０２２の周囲に、樹脂製等の帯状部材のガラスフレーム１０２３を、間隙を覆うように接着することにより、ガラス１０２２間に密閉された中間層が構成されている。
【００１３】
そして、図４（ｂ）に示すように、上部に液体又はゲル化剤を注入するための注入口１０２１が設けられている。この注入口１０２１は、所定の高さを有する壁面により、ガラスユニット１０２の開口部分を囲むようにして構成されており、注入口１０２１内部に注入経路が形成されて所定の容積を有している。ガラスユニット１０２の中間層には、高含水ゲルが封入され、遊技の際の遊技球の転動の際等の防音効果が高められている。
【００１４】
遊技盤１０３は、実際の遊技を行うための構成を備えており、略中央部に３つの表示エリアを有していて、各表示エリアにおいて、独立して数字やキャラクタによる図柄で構成される識別情報が変動表示可能である特別図柄表示装置が配設されており、その真下には特別図柄始動口が配設されていて、この特別図柄始動口の両側には普通図柄作動ゲートが配設されている。また、一対の開閉部材が特別図柄始動口を形成するように離間して開閉可能に設けられている。
【００１５】
さらに、特別図柄始動口の下方には、大入賞口、普通図柄表示装置、アウト口がこの順で配設されており、さらに、特別図柄始動口の両斜め上方にはランプ表示装置が配設されていると共に、遊技盤１０３の両側端部近傍にもランプ表示装置（より具体的にはＬＥＤ装置）が配設されている。
【００１６】
枠体１０１、ガラスユニット１０２および遊技盤１０３は、片側の側部が回動可能に装置本体に固定され、図２および図３に示すように、枠体１０１、ガラスユニット１０２および遊技盤１０３が、正面側からこの順番で順順に開閉可能に構成されている。
【００１７】
（製造方法）
続いて本実施の形態における遊技機の、特にガラスユニットの製造方法について説明する。先ず、間隙をおいて対向する２枚のガラス１０２２の周囲に帯状のガラスフレーム１０２３を、間隙を覆うように接着することにより、ガラスユニット１０２を構成し、そして図４（ａ）（ｂ）に示すように、ガラスユニット１０２の上部に、所定の高さを有する壁面により、ガラスユニット１０２の開口部分を囲むようにして注入口１０２１を構成する。
【００１８】
次にこのガラスユニット１０２の中間層に液体を封入する工程として、注入口１０２１から高含水ゲル等を注入する。
【００１９】
次にガラスユニット１０２の中間層に注入した液体をゲル化させる。この中間層に注入した液体内の気泡が完全に消失した後に、さらに注入口１０２１から液体をゲル化させるためのゲル化剤を注入する。すると、当該中間層の液体がゲル化し遊技の際の遊技球の転動の際等の防音効果が高められると共に、このゲルの最上部分の上面が注入口１０２１の壁面の中間点にあり、つまり、注入口１０２１に壁面が形成され、注入口１０２１が液体の体積変化に対応可能な所定の容積を有しているので液体の液面が変動しても、この液面の変動を壁面の中間点の範囲内で対応させることができ、ガラスユニット１０２の遊技盤１０３を覆う部分、即ち遊技者の可視領域にこのゲルの上面が位置することが無く、見栄え良くゲルを封入することができガラスユニット１０２を構成することが出来る。また、液体内の気泡が完全に消失した後にゲル化剤を注入するので、中間層内に気体が残らず確実に結露を防止することが可能である。
【００２０】
次に注入口１０２１に図示しない蓋を接着して中間層内を密封し、ガラスユニット１０２の製造を終了する。
【００２１】
（効果）
以上のように本発明によれば、注入口１０２１から液体を注入し、さらにゲル化剤を注入することで、当該中間層の液体がゲル化し遊技の際の遊技球の転動の際等の防音効果が高められると共に、液体の液面が変動しても、この液面の変動を壁面の中間点の範囲内で対応させることができ、ガラスユニット１０２の遊技盤１０３を覆う部分にこのゲルの上面が位置することが無く、見栄え良くガラスユニット１０２を構成することができる。また、液体内の気泡が完全に消失した後にゲル化剤を注入することにより、中間層内に気体が残らないので、確実に結露を防止することが可能である。
【００２２】
さらに、ガラスユニット１０２の中間層にゲルを封入することにより、遊技盤１０３側で遊技の際に衝突した遊技球の騒音を吸収、分散し、遊技者に伝わらないようにすることで快適な遊技を提供することが出来る。
【００２３】
なお、以上本発明の実施の形態について説明したが、本発明の要旨を逸脱しない範囲内で上記実施形態に種々の変形や変更を施すことが可能となる。例えば、本実施の形態においてガラスユニット１０２のゲルを封入したが、このゲルの代わりに極軟質ゴムを封入することも可能である。対向する２枚のガラス１０２２に帯状のガラスフレーム１０２３を接着して中間層を形成する際に、この極軟質ゴムを中間層よりも若干厚く、また中間層の面積よりも幾分小さく成形したものを封入することで、封入した際の圧力により極軟質ゴムが平面方向に撓むことによる余剰体積が注入口１０２１に押し込められ、上述のゲルを使用した場合と同様の効果を得ることが可能である。
【発明の効果】
以上説明してきたように、本発明によれば、ガラスユニットの中間層に充填する液体のゲル化の際の体積変化による液面の変動を、所定の容積を有する注入口内で対応することにより見栄え良くゲルを封入し、ガラスユニットを構成することが可能な遊技機を提供することができる。
【図面の簡単な説明】
【図１】遊技機１００の正面の模式的説明図である。
【図２】枠体１０１およびガラスユニット１０２の開閉時の説明図である。
【図３】枠体１０１およびガラスユニット１０２の開閉時の説明図である。
【図４】ガラスユニット１０２の説明図である。
【図５】ガラスユニット１０２の構造を示す説明図である。
【符号の説明】
１００　遊技機
１０１　枠体
１０２　ガラスユニット
１０３　遊技盤
１０２１　注入口
１０２２　ガラス
１０２３　ガラスフレーム
【図１】
2004065855.tif 000003
【図２】
2004065855.tif 000004
【図３】
2004065855.tif 000005
【図４】
2004065855.tif 000006
【図５】
2004065855.tif 000007